(57)【要約】【課題】中綴じ製本のための印刷を行う場合において、各ページに付加される付加情報の位置を揃えること。【解決手段】中綴じ製本のための印刷を行う際に、左計測距離と右計測距離との差が規定値を超えた場合に、左印字距離と、右印字距離との差が小さくなるように、左印字位置及び右印字位置を修正し、また、特定の記録面における左計測距離及び右計測距離と、他の記録面における左計測距離及び右計測距離との差が規定値を超えた場合に、上記特定の記録面における左計測距離及び右計測距離を基準にして、上記他の記録面における左印字位置及び右印字位置を修正する。【選択図】図２
2014053866.tif 000002
【特許請求の範囲】
【請求項１】
印刷出力するべき描画データに基づいて、搬送される記録紙の記録面に画像を形成すると共に前記記録面の所定の位置に付加情報を印字する画像形成装置であって、
前記記録面を二分する分割線で分割された前記記録面における第一の領域及び第二の領域に夫々印字された第一の付加情報及び第二の付加情報を検知する付加情報検知部と、
前記第一の領域及び前記第二の領域に夫々印字され検知された前記第一の付加情報及び前記第二の付加情報の、前記分割線に直行する直行方向における前記分割線からの距離である第一の距離及び第二の距離を計測する距離計測部と、
前記記録面において計測された前記第一の距離と前記第二の距離との比較結果に基づき、前記第一の付加情報及び前記第二の付加情報の印字位置を修正するべきか否かを判断し、修正するべきと判断した場合に、画像形成動作を停止して、前記記録面における前記第一の付加情報及び前記第二の付加情報の印字位置のうち少なくとも一方を修正するための修正値を算出する修正値算出部と、
を備えることを特徴とする画像形成装置。
【請求項２】
前記修正値算出部は、前記記録面において計測された前記第一の距離と前記第二の距離との比較結果に基づき、前記第一の付加情報及び前記第二の付加情報の位置を修正するべきか否かを判断し、修正するべきと判断した場合に、画像形成動作を停止して、前記記録面における印字位置の修正後の前記第一の距離と前記第二の距離とが一致するように、前記記録面における前記第一の付加情報及び前記第二の付加情報ののうち少なくとも一方の印字位置を修正するための修正値を算出することを特徴とする請求項１に記載の画像形成装置。
【請求項３】
前記修正値算出部は、前記記録面において計測された前記第一の距離と前記第二の距離との比較結果に基づき、前記第一の付加情報及び前記第二の付加情報の位置を修正するべきか否かを判断し、修正するべきと判断した場合に、画像形成動作を停止して、前記記録面において計測された前記第一の距離と前記第二の距離との差を、前記記録面における前記第一の付加情報又は前記第二の付加情報の印字位置を修正するための修正値として算出し、若しくは、前記記録面において計測された前記第一の距離及び前記第二の距離の平均距離と、前記記録面において計測された前記第一の距離及び前記第二の距離との夫々の差を、前記記録面における前記第一の付加情報及び前記第二の付加情報の印字位置を夫々修正するための修正値として算出し、若しくは、予め設定されている基準距離と前記記録面において計測された前記第一の距離及び前記第二の距離との夫々の差を、前記記録面における前記第一の付加情報及び前記第二の付加情報の印字位置を夫々修正するための修正値として算出することを特徴とする請求項１又は２に記載の画像形成装置。
【請求項４】
前記修正値算出部は、特定の記録面において計測された前記第一の距離及び前記第二の距離と、他の記録面において計測された前記第一の距離及び前記第二の距離との所定の差に基づき、前記第一の付加情報及び前記第二の付加情報の位置を修正するべきか否かを判断し、修正するべきと判断した場合に、画像形成動作を停止して、前記他の記録面における前記第一の付加情報及び前記第二の付加情報の印字位置を修正するための修正値を算出することを特徴とする請求項１乃至３いずれか１項に記載の画像形成装置。
【請求項５】
前記修正値算出部は、前記特定の記録面において計測された前記第一の距離及び前記第二の距離の平均距離と、前記他の記録面において計測された前記第一の距離及び前記第二の距離の平均距離との差に基づき、若しくは、前記特定の記録面において計測された前記第一の距離及び前記第二の距離と、前記他の記録面において計測された前記第一の距離及び前記第二の距離との各組み合わせにおける差に基づき、若しくは、前記特定の記録面において計測された前記第一の距離及び前記第二の距離の平均距離と、前記他の記録面において計測された前記第一の距離及び前記第二の距離との夫々の差に基づき、前記第一の付加情報及び前記第二の付加情報の位置を修正するべきか否かを判断し、修正するべきと判断した場合に、画像形成動作を停止して、前記他の記録面における前記第一の付加情報及び前記第二の付加情報の印字位置を修正するための修正値を算出することを特徴とする請求項４項に記載の画像形成装置。
【請求項６】
前記修正値算出部は、特定の記録面において計測された前記第一の距離及び前記第二の距離と、他の記録面において計測された前記第一の距離及び前記第二の距離との所定の差に基づき、前記第一の付加情報及び前記第二の付加情報の位置を修正するべきか否かを判断し、修正するべきと判断した場合に、画像形成動作を停止して、前記特定の記録面において計測された前記第一の距離及び前記第二の距離の平均距離と、前記他の記録面における前記第一の距離及び前記第二の距離との夫々の差を、前記前記他の記録面における前記第一の付加情報及び前記第二の付加情報の印字位置を夫々修正するための修正値として算出することを特徴とする請求項４又は５に記載の画像形成装置。
【請求項７】
前記第一の付加情報及び前記第二の付加情報の位置を修正するべきと判断された場合に、警告画面を表示部に表示させる警告画面表示制御部を備えることを特徴とする請求項１乃至６いずれか１項に記載の画像形成装置。
【請求項８】
印刷するべき前記描画データにおける前記付加情報の位置が、前記記録面における前記直行方向に対して前記所定の位置の反対側に相当する位置である場合に、前記描画データを１８０度回転させてから画像形成動作を実行することを特徴とする請求項１乃至７いずれか１項に記載の画像形成装置。
【請求項９】
印刷するべき描画データに基づいて、搬送される記録紙の記録面に画像を形成すると共に前記記録面の所定の位置に付加情報を印字する画像形成プログラムであって、
前記記録面を二分する分割線で分割された前記記録面における第一の領域及び第二の領域に夫々印字された第一の付加情報及び第二の付加情報を検知するステップと、
前記第一の領域及び前記第二の領域に夫々印字され検知された前記第一の付加情報及び前記第二の付加情報の、前記分割線に直行する直行方向における前記分割線からの距離である第一の距離及び第二の距離を計測するステップと、
前記記録面において計測された前記第一の距離と前記第二の距離との比較結果に基づき、前記第一の付加情報及び前記第二の付加情報の印字位置を修正するべきか否かを判断し、修正するべきと判断した場合に、画像形成動作を停止して、前記記録面における前記第一の付加情報及び前記第二の付加情報の印字位置のうち少なくとも一方を修正するための修正値を算出するステップと、
を実行することを特徴とする画像形成プログラム。
【請求項１０】
印刷するべき描画データに基づいて、搬送される記録紙の記録面に画像を形成すると共に前記記録面の所定の位置に付加情報を印字する画像形成方法であって、
前記記録面を二分する分割線で分割された前記記録面における第一の領域及び第二の領域に夫々印字された第一の付加情報及び第二の付加情報を検知し、
前記第一の領域及び前記第二の領域に夫々印字され検知された前記第一の付加情報及び前記第二の付加情報の、前記分割線に直行する直行方向における前記分割線からの距離である第一の距離及び第二の距離を計測し、
前記記録面において計測された前記第一の距離と前記第二の距離との比較結果に基づき、前記第一の付加情報及び前記第二の付加情報の印字位置を修正するべきか否かを判断し、修正するべきと判断した場合に、画像形成動作を停止して、前記記録面における前記第一の付加情報及び前記第二の付加情報の印字位置のうち少なくとも一方を修正するための修正値を算出することを特徴とする画像形成方法。
【発明の詳細な説明】
【技術分野】
【０００１】
本発明は、画像形成装置、画像形成プログラム及び画像形成方法に関し、特に、画像形成装置における付加情報の印字方法に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能な複合機として構成されることが多い。
【０００３】
また、このような画像処理装置においては、画像が形成された複数枚の記録紙を所定の手順で綴じることにより製本を行う製本装置を備えるものが知られている（例えば、特許文献１参照）。このような製本装置では、例えば、一般的な書籍や雑誌のように、左右２ページの見開きとなるような中綴じ製本が行われる。
【０００４】
このように、製本装置を備える画像処理装置において上記のような中綴じ製本を行う場合にはまず、記録紙の記録面における中央線を境にして分割された左右両ページに画像を形成すると共に各ページの所定の位置にページ番号を印字することにより集約印刷を行い、これらの処理と同様の処理を反対面についても行うことにより両面印刷を行う。そして、このような集約印刷及び両面印刷を中綴じ製本の対象となる全ページについて行い、両面に画像が形成されページ番号が印字された複数の記録紙を、上記製本装置において、ページ番号順となるように重ね合わせて上記中央線上でまとめて綴じて折り曲げることにより製本を行うようになっている。
【発明の概要】
【発明が解決しようとする課題】
【０００５】
ところで、このような中綴じ製本が行われる目的としては、例えば、会議や学会、プレゼンテーション、講義、講演会等の資料作成として行われたり、業者が業として客からの依頼により行ったりする等、製本を行う本人以外の第三者が目にすることを目的として行われることが想定される。
【０００６】
従って、中綴じ製本後の完成品に対する見た目における品質上の要求の一つとして、各ページに印字されているページ番号の位置が、ページの裏表や見開きの左右各ページにおいて揃っていること、即ち、中綴じ後の全ページ間できれいに揃っていることが求められる。そのため、画像処理装置における中綴じ製本のための印刷処理において、上記要求を達成するようにページ番号を印字することが求められる。尚、このような要求はページ番号に限ったものではなく、各ページに付加される付加情報の印字位置について同様に発生し得る。
【０００７】
本発明は、このような課題を解決するためになされたものであり、中綴じ製本のための印刷を行う場合において、各ページに付加される付加情報の位置を揃えることを目的とする。
【課題を解決するための手段】
【０００８】
上記課題を解決するために、印刷するべき描画データに基づいて、搬送される記録紙の記録面に画像を形成すると共に前記記録面の所定の位置に付加情報を印字する画像形成装置であって、前記記録面を二分する分割線で分割された前記記録面における第一の領域及び第二の領域に夫々印字された第一の付加情報及び第二の付加情報を検知する付加情報検知部と、前記第一の領域及び前記第二の領域に夫々印字され検知された前記第一の付加情報及び前記第二の付加情報の、前記分割線に直行する直行方向における前記分割線からの距離である第一の距離及び第二の距離を計測する距離計測部と、前記記録面において計測された前記第一の距離と前記第二の距離との比較結果に基づき、前記第一の付加情報及び前記第二の付加情報の印字位置を修正するべきか否かを判断し、修正するべきと判断した場合に、画像形成動作を停止して、前記記録面における前記第一の付加情報及び前記第二の付加情報の印字位置のうち少なくとも一方を修正するための修正値を算出する修正値算出部と、を備えることを特徴とする。
【０００９】
また、本発明の他の態様は、印刷するべき描画データに基づいて、搬送される記録紙の記録面に画像を形成すると共に前記記録面の所定の位置に付加情報を印字する画像形成プログラムであって、前記記録面を二分する分割線で分割された前記記録面における第一の領域及び第二の領域に夫々印字された第一の付加情報及び第二の付加情報を検知するステップと、前記第一の領域及び前記第二の領域に夫々印字され検知された前記第一の付加情報及び前記第二の付加情報の、前記分割線に直行する直行方向における前記分割線からの距離である第一の距離及び第二の距離を計測するステップと、前記記録面において計測された前記第一の距離と前記第二の距離との比較結果に基づき、前記第一の付加情報及び前記第二の付加情報の印字位置を修正するべきか否かを判断し、修正するべきと判断した場合に、画像形成動作を停止して、前記記録面における前記第一の付加情報及び前記第二の付加情報の印字位置のうち少なくとも一方を修正するための修正値を算出するステップと、を実行することを特徴とする。
【００１０】
また、本発明の更に他の態様は、印刷するべき描画データに基づいて、搬送される記録紙の記録面に画像を形成すると共に前記記録面の所定の位置に付加情報を印字する画像形成方法であって、前記記録面を二分する分割線で分割された前記記録面における第一の領域及び第二の領域に夫々印字された第一の付加情報及び第二の付加情報を検知し、前記第一の領域及び前記第二の領域に夫々印字され検知された前記第一の付加情報及び前記第二の付加情報の、前記分割線に直行する直行方向における前記分割線からの距離である第一の距離及び第二の距離を計測し、前記記録面において計測された前記第一の距離と前記第二の距離との比較結果に基づき、前記第一の付加情報及び前記第二の付加情報の印字位置を修正するべきか否かを判断し、修正するべきと判断した場合に、画像形成動作を停止して、前記記録面における前記第一の付加情報及び前記第二の付加情報の印字位置のうち少なくとも一方を修正するための修正値を算出することを特徴とする。
【発明の効果】
【００１１】
本発明によれば、中綴じ製本のための印刷を行う場合において、各ページに付加される付加情報の位置を揃えることできる。
【図面の簡単な説明】
【００１２】
【図１】本発明の実施形態に係る画像形成装置のハードウェア構成を模式的に示すブロック図である。
【図２】本発明の実施形態に係る画像形成装置の機能構成を模式的に示すブロック図である。
【図３】本発明の実施形態に係る画像形成装置を主走査方向から見たときの断面図である。
【図４】本発明の実施形態に係る画像形成装置が画像を形成しページ番号を印字した後の記録紙の一例を示す図である。
【図５】本発明の実施形態に係る画像形成装置が画像を形成しページ番号を印字した後の記録紙の一例を示す図である。
【図６】本発明の実施形態に係る画像形成装置による中綴じ製本後の記録紙の一例を示す図である。
【図７】本発明の実施形態に係る画像形成装置が画像を形成しページ番号を印字した後の記録紙の一例を示す図である。
【図８】本発明の他の実施形態に係る画像形成装置が画像を形成しページ番号を印字した後の記録紙の一例を示す図である。
【図９】本発明の実施形態に係る画像形成装置が中央基準で記録紙を搬送する際の搬送中の記録紙の状態を示す図である。
【図１０】本発明の実施形態に係る画像形成装置が記録紙端基準で記録紙を搬送する際の搬送中の記録紙の状態を示す図である。
【図１１】本発明の実施形態に係る画像形成装置が画像を形成しページ番号を印字した後の記録紙の一例を示す図である。
【図１２】本発明の実施形態に係る画像形成装置が画像を形成しページ番号を印字した後の記録紙の一例を示す図である。
【図１３】本発明の実施形態に係る画像形成装置が、中綴じ製本を行うための印刷処理を説明するためのフローチャートである。
【図１４】本発明の実施形態に係る画像形成装置が、中綴じ製本を行うための印刷処理を説明するためのフローチャートである。
【図１５】本発明の実施形態に係る画像形成装置が、中綴じ製本を行うための印刷処理を説明するためのフローチャートである。
【図１６】本発明の他の実施形態に係る画像形成装置のディスプレイパネルに表示される警告画面の表示例を示す図である。
【図１７】本発明の他の実施形態に係る画像形成装置のディスプレイパネルに表示される警告画面の表示例を示す図である。
【図１８】本発明の他の実施形態に係る画像形成装置が、ページ番号の印字位置の修正量を算出する際の処理を説明するためのフローチャートである。
【発明を実施するための形態】
【００１３】
以下、図面を参照して、本発明の実施形態を詳細に説明する。本実施形態においては、入力された画像データに基づいてビットマップデータ等の、ＣＭＹＫ（Ｃｙａｎ  Ｍｇｅｎｔａ  Ｙｅｌｌｏｗ  Ｋｅｙ  Ｐｌａｔｅ）の描画データを生成して生成された描画データに基づいて画像形成出力を実行し、画像形成が施された記録紙に対して中綴じ製本を行う製本ユニットを備える。尚、本実施形態において中綴じ製本とは、一般的な書籍や雑誌のように、左右２ページの見開きとなるような製本のことである。また、本実施形態に係る画像形成装置は、撮像機能、画像形成機能及び通信機能等を備えることにより、プリンタ、ファクシミリ、スキャナ、複写機として利用可能なＭＦＰ（ＭｕｌｔｉＦｕｎｃｔｉｏｎ  Ｐｅｒｉｐｈｅｒａｌ：複合機）である。
【００１４】
このような本実施形態に係る画像形成装置は、上記描画データとして、画像形成用データの他にページ番号やそのページ番号の印字位置等に関するやページ番号データを含み、中綴じ製本の対象となる各ページの所定の位置にページ番号を印字するように構成されている。従って、本実施形態に係る画像形成装置が中綴じ製本を行う場合にはまず、記録紙の記録面を左右に線対称となるように二分する分割線で分割された左右両ページに画像を形成すると共に各ページの所定の位置にページ番号を印字することにより集約印刷を行い、これらの処理と同様の処理を反対面についても行うことにより両面印刷を行う。そして、本実施形態に係る画像形成装置は、このような集約印刷及び両面印刷を中綴じ製本の対象となる全ページについて行い、両面に画像が形成されページ番号が印字された複数の記録紙を、製本ユニットにおいて、ページ番号順となるように重ね合わせて上記分割線上でまとめて綴じて折り曲げることにより製本を行うようになっている。
【００１５】
このように構成された画像形成装置において、本実施形態に係る要旨の一つは、中綴じ製本のための印刷を行う際に、記録面単位で、上記分割線から左ページに印字されたページ番号までの副走査方向における距離と、上記分割線から右ページに印字されたページ番号までの副走査方向における距離との差に基づいて上記ページ番号の印字位置を修正するべきと判断した場合に、印刷動作を一旦停止して上記ページ番号の印字位置を修正することにある。従って、本実施形態に係る画像形成装置によれば、中綴じ製本のための印刷を行う際に、各記録面における左右両ページでお互いにずれた位置にページ番号が印字されたまま印刷動作を実行することを防ぐことが可能となる。
【００１６】
そのため、本実施形態に係る画像形成装置１によれば、中綴じ製本のための印刷を行う際に、各記録面において、上記分割線に対して線対称となる位置に左右両ページのページ番号を印字することが可能となり、上記左右両ページに印字されるページ番号の位置を揃えることが可能となる。その結果、本実施形態に係る画像形成装置によれば、中綴じ製本のための印刷品質を向上させることが可能となり、製本後の品質の向上を図ることが可能となる。
【００１７】
また、このように構成された画像形成装置１において、本実施形態に係る他の要旨の一つは、中綴じ製本のための印刷を行う際に、特定の記録面に印字された左右両ページのページ番号の上記分割線からの副走査方向における夫々の距離と、他の記録面に印字された左右両ページのページ番号の上記分割線からの副走査方向における夫々の距離との所定の差に基づいて上記他の記録面におけるページ番号の印字位置を修正するべきと判断した場合に、印刷動作を一旦停止して上記他の記録面におけるページ番号の印字位置を修正することにある。従って、本実施形態に係る画像形成装置によれば、中綴じ製本のための印刷を行う際に、記録面間でお互いにずれた位置にページ番号が印字されたまま印刷動作を実行することを防ぐことが可能となる。尚、上記特定の記録面及び所定の差については後述する。
【００１８】
そのため、本実施形態に係る画像形成装置１によれば、中綴じ製本のための印刷を行う際に、ページ番号の位置が全ページ間できれいに揃うようにしてページ番号を印字することが可能となる。その結果、本実施形態に係る画像形成装置によれば、中綴じ製本のための印刷品質を更に向上させることが可能となり、製本後の更なる品質の向上を図ることが可能となる。以下、詳細に説明する。
【００１９】
まず、本実施形態に係る画像形成装置１のハードウェア構成について、図１を参照して説明する。図１は、本実施形態に係る画像形成装置１のハードウェア構成を模式的に示すブロック図である。尚、画像形成装置１には、図１に示すハードウェア構成に加えて、スキャナ、プリンタ、製本を実現するためのエンジンが備えられている。
【００２０】
図１に示すように、本実施形態に係る画像形成装置１は、一般的なサーバやＰＣ（Ｐｅｒｓｏｎａｌ  Ｃｏｍｐｕｔｅｒ）等と同様の構成を含む。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ８０がバス６０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２１】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２２】
Ｉ／Ｆ５０は、バス８０と各種のハードウェアやネットワーク等を接続し制御する。ＬＣＤ６０は、ユーザが画像形成装置１の状態を確認するための視覚的ユーザインタフェースである。操作部７０は、キーボードやマウス、タッチパネル等、ユーザが画像形成装置１に情報を入力するためのユーザインタフェースである。
【００２３】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がＲＡＭ２０にロードされたプログラムに従って演算を行うことにより、ソフトウェア制御部が構成される。このようにして構成されたソフトウェア制御部と、ハードウェアとの組み合わせによって、本実施形態に係る画像形成装置１の機能を実現する機能ブロックが構成される。
【００２４】
次に、本実施形態に係る画像形成装置１の機能構成について、図２を参照して説明する。図２は、本実施形態に係る画像形成装置１の機能構成を模式的に示すブロック図である。図２に示すように、本実施形態に係る画像形成装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１２０、排紙トレイ１３０、ディスプレイパネル１４０、給紙テーブル１５０、プリントエンジン１６０、排紙トレイ１７０、ネットワークＩ／Ｆ１８０、製本ユニット１９０を有する。
【００２５】
また、コントローラ１００は、主制御部１０１、エンジン制御部１０２、画像処理部１０３、操作表示制御部１０４及び入出力制御部１０５を含む。図２に示すように、本実施形態に係る画像形成装置１は、スキャナユニット１２０、プリントエンジン１６０を有する複合機として構成されている。尚、図２においては、電気的接続を実線の矢印で示しており、記録紙若しくは文書束の流れを破線の矢印で示している。
【００２６】
ディスプレイパネル１４０は、画像形成装置１の状態を視覚的に表示する出力インタフェースであると共に、タッチパネルとしてユーザが画像形成装置１を直接操作し、若しくは画像形成装置１に対して情報を入力する際の入力インタフェースでもある。即ち、ディスプレイパネル１４０は、ユーザによる操作を受けるための画像を表示する機能を含む。ディスプレイパネル１４０は、図１に示すＬＣＤ６０及び操作部７０によって実現される。
【００２７】
ネットワークＩ／Ｆ１８０は、画像形成装置１がネットワークを介してＰＣ等の他の機器と通信するためのインタフェースであり、Ｅｔｈｅｒｎｅｔ（登録商標）やＵＳＢインタフェースが用いられる。ネットワークＩ／Ｆ１８０は、図１に示すＩ／Ｆ５０によって実現される。
【００２８】
コントローラ１００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリにロードされ、ＣＰＵ１０がそのプログラムに従って動作することにより構成されるソフトウェア制御部と集積回路などのハードウェアとによってコントローラ１００が構成される。コントローラ１００は、画像形成装置１全体を制御する制御部として機能する。
【００２９】
主制御部１０１は、コントローラ１００に含まれる各部を制御する役割を担い、コントローラ１００の各部に命令を与える。エンジン制御部１０２は、プリントエンジン１６０やスキャナユニット１２０、製本ユニット１９０等を制御若しくは駆動する駆動手段としての役割を担う。
【００３０】
画像処理部１０３は、主制御部１０１の制御に従い、入力された画像データに基づいて印刷出力すべき描画データを生成する。この描画データとは、画像形成部であるプリントエンジン１６０が画像形成動作において形成すべき画像を描画するための情報であって、上述したように、画像形成用データの他にページ番号やそのページ番号の印字位置等に関するページ番号データを含む。また、画像処理部１０３は、スキャナユニット１２０から入力される撮像データを処理し、画像データを生成する。この画像データとは、スキャナ動作の結果物として画像形成装置に送られ描画データが生成されて画像形成出力が行われ、若しくは画像形成装置のＨＤＤ等の記憶装置に記憶され、また、ネットワークＩ／Ｆ１８０を介してＰＣ等の外部の情報処理端末に送信される情報である。
【００３１】
操作表示制御部１０４は、ディスプレイパネル１４０に情報表示を行い若しくはディスプレイパネル１４０を介して入力された情報を主制御部１０１に通知する。入出力制御部１０５は、ネットワークＩ／Ｆ１８０を介して入力される情報を主制御部１０１に入力する。また、主制御部１０１は、入出力制御部１０５を制御し、ネットワークＩ／Ｆ１８０を介してＰＣ等の他の機器にアクセスする。
【００３２】
製本ユニット１９０は、中綴じ製本を行う機能を有し、ページ番号検知部１９１、製本エンジン１９２、排紙トレイ１９２を含む。製本エンジン１９２は、エンジン制御部１０２の制御に従って、搬送されてきた画像形成済みの記録紙に対して中綴じ製本を行い、排紙トレイ１９３から製本済みの記録紙を排紙する。
【００３３】
ページ番号検知部１９１は、搬送される記録紙に印字されているページ番号を検知して検知信号をエンジン制御部１０２に通知する。尚、ページ番号検知部１９１は、ＣＣＤ（Ｃｈａｒｇｅ  Ｃｏｕｐｌｅｄ  Ｄｅｖｉｃｅ）イメージセンサやＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）イメージセンサ等の固体撮像素子が主走査方向に一次元的に配列されたリニアイメージセンサにより構成されており、記録紙の特定の領域を副走査方向に対して連続的に撮像することによりページ番号位置を検知する。ここで、副走査方向とは、画像形成装置１における記録面において主走査方向に直行する方向のことである。
【００３４】
尚、ページ番号検知部１９１からページ番号位置を通知された主制御部１０１は、通知されたページ番号位置が適正な位置であるか否かを判定して、適正な位置ではないと判定した場合には、ページ番号の印字位置の修正を行う。即ち、本実施形態においては、ページ番号検知部１９１が、付加情報検知部として機能し、主制御部１０１が、距離計測部及び修正値算出部として機能する。
【００３５】
そして、図２において説明したＡＤＦ１１０、スキャナユニット１２０、排紙トレイ１３０、給紙テーブル１５０、プリントエンジン１６０、排紙トレイ１７０、製本ユニット１９０及びページ番号検知部１９１、製本エンジン１９２、排紙トレイ１９３は、本実施形態に係る画像形成装置１において、図３に示すように配置されて構成されている。図３は、本実施形態に係る画像形成装置１を主走査方向から見たときの断面図である。尚、図３においては、記録紙若しくは文書束の流れを破線の矢印で示しており、副走査方向を太線の矢印で示している。
【００３６】
図３における反転ユニット２１０は、記録紙の表裏を反転させて再度プリントエンジン１６０に誘導するためのユニットである。また、図３における検知部誘導ローラ対１９４は、記録紙を常に一定の速度でページ番号検知部１９２に向けて搬送するためのローラ対である。この検知部誘導ローラ対１９４が常に一定の速度で記録紙をページ番号検知部１９２に向けて搬送するため、ページ番号検知部１９２は記録紙に印字されているページ番号の位置を正確に検知することが可能となる。また、図３における反転ユニット誘導ローラ対１９５は、記録紙を製版ユニット１９０から反転ユニット２１０に誘導するためのローラ対である。
【００３７】
次に、本実施形態に係る画像形成装置１が製本ユニット１９０における中綴じ製本の対象とする記録紙について、図４及び図５を参照して説明する。図４及び図５は、本実施形態に係る画像形成装置１が画像を形成しページ番号を印字した後の記録紙の一例を示す図である。尚、図４及び図５は夫々、同一の記録紙における表面及び裏面を示している。また、図４及び図５において点線で示す「折り線」は、製本ユニット１９０における中綴じ製本の際に記録紙をまとめて綴じる位置に相当し、また、まとめて綴じた記録紙を折り曲げる位置に相当する線である。この折り線は、本実施形態においては、主走査方向に平行であって、記録紙の副走査方向における中央を通るように設定されている。従って、本実施形態においては、記録紙の記録面における上記折り線で分割される左右の領域は、この折り線に対して線対称となるため、記録紙をこの折り線上で折り曲げると、左右の領域の各頂点及び各辺が夫々一致することになる。即ち、本実施形態においては、折り線が、分割線として用いられる。
【００３８】
図４及び図５に示すように、本実施形態に係る画像形成装置１は、製本ユニット１９０において中綴じ製本を行う前に、記録紙に対して集約印刷及び両面印刷を行うように構成されている。即ち、本実施形態に係る画像形成装置１は、図４に示す折り線で分割される左右の領域を夫々独立したページとして集約印刷を行う。そして、本実施形態に係る画像形成装置１は、図４に示した記録紙、即ち、片面印刷済みの記録紙を反転ユニット２１０において表裏を反転させて、その裏面に対しても、上述した集約印刷と同様にして図５に示すような集約印刷を行うことにより両面印刷を行う。
【００３９】
尚、本実施形態に係る画像形成装置１は、折り線で分割される左右の領域を夫々独立したページとして集約印刷を行うが、その各ページには、図４及び図５に示すように、画像形成領域Ｘ及びページ番号領域Ｙが予め設定されており、画像形成については画像形成領域Ｘに対して行い、ページ番号の印字についてはページ番号印字領域Ｙに対して行うように構成されている。即ち、描画データに含まれるデータのうち、画像形成用データは画像形成領域Ｘに印刷され、ページ番号データはページ番号印字領域に印字される。この画像形成領域Ｘ及びページ番号印字領域Ｙは、ユーザ操作により設定されても良いし、自動で設定されても良い。
【００４０】
そして、本実施形態に係る画像形成装置１は、上述したような集約印刷及び両面印刷を中綴じ製本の対象となる全記録紙について行い、それら複数の記録紙を、製本ユニット１９０において、ページ番号順となるように重ね合わせて折り線上でまとめて綴じて折り曲げることにより中綴じ製本を行うように構成されている。
【００４１】
このようにして中綴じ製本が行われた結果を図６に示す。図６は、本実施形態に係る画像形成装置１による中綴じ製本後の記録紙の一例を示す図である。図６に示すように、中綴じ製本後の４枚の記録紙は、１〜１６のページ番号が印字された各ページがページ番号順になるように重ねられ、折り線上でまとめて綴じて折り曲げられていることがわかる。尚、図６においては、４枚の記録紙で中綴じ製本を行った例について説明しているが、これよりも多くても良いし少なくても良い。また、図６においては、全ページにページ番号が印字されている例について説明しているが、表紙及び裏表紙が設定されていても良く、この場合には、図６に示すページ番号：２に相当するページがページ番号：１となり、図６に示すページ番号：１５に相当するページが最終ページであるページ番号：１４となり、図６に示すページ番号：１及びページ番号：１６に相当するページが夫々、表紙及び裏表紙となる。
【００４２】
次に、本実施形態に係る主制御部１０１及びページ番号検知部１９１の機能について、図７を参照して説明する。図７は、本実施形態に係る画像形成装置１が画像を形成しページ番号を印字した後の記録紙の一例を示す図である。以下では、記録紙の記録面において、折り線で分割される左右の領域のうち、記録紙の搬送方向側の領域、即ち、図７に向かって左側の領域を左ページとし、もう一方側の領域、即ち、図７に向かって右側の領域を右ページとし、左ページ及び右ページに印字されたページ番号を夫々左ページ番号及び右ページ番号とする。即ち、本実施形態においては、左ページ及び右ページが夫々、第一の領域及び第二の領域として用いられ、左ページ番号及び右ページ番号が夫々、第一の付加情報及び第二の付加情報として用いられる。また、以下では、記録紙やページ番号等の搬送方向側の端、即ち、図７に向かって左側の端を、記録紙の先端やページ番号の先端等と呼称し、その反対側の端、即ち、図７に向かって左側の端を記録紙の後端やページ番号の後端等と呼称する。
【００４３】
本実施形態に係るページ番号検知部１９１がｎ枚目の記録紙の表面に印字されているページ番号を検知して検知信号を主制御部１０１に通知すると、主制御部１０１は、図７に示す、記録紙の副走査方向における長さ（以下、「記録紙長」とする）Ｃｎ（表）、記録紙の先端から左ページ番号の先端までの副走査方向における距離（以下、「左先端距離」とする）Ｄｎ（表）、記録紙の先端から左ページ番号の後端までの副走査方向における距離（以下、「左後端距離」とする）Ｅｎ（表）、記録紙の先端から右ページ番号の先端までの副走査方向における距離（以下、「右先端距離」とする）Ｆｎ（表）、記録紙の先端から右ページ番号の後端までの副走査方向における距離（以下、「右後端距離」とする）Ｇｎ（表）を計測する。
【００４４】
また、本実施形態においては、折り線は、主走査方向に平行であって、記録紙の副走査方向における中央を通るため、図７に示すように、記録紙の先端から折り線までの副走査方向における距離（以下、「折り線距離」とする）はＣｎ／２となる。
【００４５】
そして、主制御部１０１は、計測したＣｎ（表）、Ｄｎ（表）、Ｅｎ（表）、Ｆｎ（表）、Ｇｎ（表）に基づいて、図７に示す、折り線から左ページ番号の中心までの副走査方向における距離（以下、「左計測距離」とする）Ａｎ及び折り線から右ページ番号の中心までの副走査方向における距離（以下、「右計測距離」とする）Ｂｎを算出する。具体的には、主制御部１０１は、Ａｎ（表）＝｛Ｃｎ（表）−Ｄｎ（表）−Ｅｎ（表）｝／２、Ｂｎ（表）＝｛Ｆｎ（表）＋Ｇｎ（表）−Ｃｎ（表）｝／２として算出する。
【００４６】
また、図示しないが、本実施形態に係るページ番号検知部１９１及び主制御部１０１は、ｎ枚目の記録紙の裏面についても、図７において説明したのと同様の処理を行う。即ち、本実施形態に係るページ番号検知部１９１がｎ枚目の記録紙の裏面に印字されているページ番号を検知して検知信号を主制御部１０１に通知すると、主制御部１０１は、記録紙長Ｃｎ（裏）、左先端距離Ｄｎ（裏）、左後端距離Ｅｎ（裏）、右先端距離Ｆｎ（裏）、右後端距離Ｇｎ（裏）を計測する。そして、主制御部１０１は、計測したＣｎ（裏）、Ｄｎ（裏）、Ｅｎ（裏）、Ｆｎ（裏）、Ｇｎ（裏）に基づいて、左計測距離Ａｎ（裏）及び右計測距離Ｂｎ（裏）を、Ａｎ（裏）＝｛Ｃｎ（裏）−Ｄｎ（裏）−Ｅｎ（裏）｝／２、Ｂｎ（裏）＝｛Ｆｎ（裏）＋Ｇｎ（裏）−Ｃｎ（裏）｝／２として算出する。即ち、本実施形態においては、左計測距離Ａｎ及び右計測距離Ｂｎが夫々、第一の距離及び第二の距離として用いられる。
【００４７】
尚、一度の中綴じ製本で使用される記録紙のサイズは、通常、全て同一であるため、本実施形態に係る主制御部１０１は、１枚目についてのみ記録紙長Ｃ１を計測して記憶しておき、記憶した１枚目の記録紙長Ｃ１を他の記録紙についても適用するように構成されていても良い。
【００４８】
次に、本実施形態に係るページ番号印字領域Ｙについて、図８を参照して説明する。図８は、本実施形態に係る画像形成装置１が画像を形成しページ番号を印字した後の記録紙の一例を示す図である。通常、画像形成装置１は、主走査方向における記録紙端と画像領域端とに挟まれた領域、即ち、図８においてＺが示す領域ならどこにでもページ番号を印字することができるわけではなく、図８に示す、主走査方向における記録紙端から所定の距離ａだけ離れた線分αと、主走査方向における画像領域端から所定の距離ｂだけ離れた線分βとで挟まれる領域、即ち、図８においてＹが示す領域にのみ印字することが可能である。この領域Ｙがページ番号印字領域に他ならない。以下では、図８に示すように、ページ番号印字領域の副走査方向における距離をＨとする。
【００４９】
ところで、本来ならば、本実施形態に係るページ番号検知部１９１は、主走査方向における全範囲をカバーするようにＣＣＤやＣＭＯＳ等のイメージセンサが配列されて構成されていれば、ページ番号が記録紙のどの位置に印字されていても検知することが可能であるが、本実施形態においては、上述したように、ページ番号はページ番号印字領域にのみ印字されるため、そのページ番号印字領域のみをカバーするようにＣＣＤやＣＭＯＳ等のイメージセンサが配列されて構成されていれば十分である。
【００５０】
ところが、通常、画像形成装置１は、様々なサイズの記録紙を搬送するため、記録紙のサイズによってページ番号印字領域の位置が変化することになる。しかし、一般的には、画像形成装置１は、記録紙の搬送方法として中央基準若しくは記録紙端基準を採用しているため、全サイズ共通で、ページ番号印字領域が通過する領域が予め定まることになる。そこで、図９及び図１０を参照して、個々のケースにおいて、本実施形態に係るページ番号検知部１９１を構成するイメージセンサの構成について説明する。
【００５１】
図９は、本実施形態に係る画像形成装置１が中央基準で記録紙を搬送する際の搬送中の記録紙の状態を示す図である。図１０は、本実施形態に係る画像形成装置１が記録紙端基準で記録紙を搬送する際の搬送中の記録紙の状態を示す図である。ここで、中央基準とは、本実施形態に係る画像形成装置１が記録紙を搬送する方法の一つであって、図９に示すように、記録紙の主走査方向における中央が全記録紙サイズにおいて常に一致するようにして用紙を搬送する方法のことである。また、記録紙端基準とは、本実施形態に係る画像形成装置１が記録紙を搬送する方法の一つであって、図１０に示すように、主走査方向における記録紙端が全記録紙サイズにおいて常に一致するようにして記録紙を搬送する方法のことである。
【００５２】
尚、図９及び図１０に示すＨｍａｘは、本実施形態に係る画像形成装置１が搬送可能な記録紙のうち、副走査方向における長さが最大である記録紙におけるページ番号印字領域の副走査方向における距離を表し、Ｈｍｉｎは、本実施形態に係る画像形成装置１が搬送可能な記録紙のうち、副走査方向における長さが最小である記録紙におけるページ番号印字領域の副走査方向における距離を表す。
【００５３】
まず、記録紙の搬送方法が中央基準である場合のページ番号検知部１９１におけるイメージセンサの構成について、図９を参照して説明する。本実施形態に係る画像形成装置１における記録紙の搬送方法が、図９に示すような中央基準である場合、本実施形態に係るページ番号検知部１９１は、少なくとも図９のＰで示す範囲をカバーするように、ＣＣＤやＣＭＯＳ等のイメージセンサが主走査方向に一次元的に配列されて構成されていれば、全サイズおいてページ番号印字領域をカバーすることが可能となる。
【００５４】
次に、記録紙の搬送方法が記録紙端基準である場合のページ番号検知部１９１におけるイメージセンサの構成について、図１０を参照して説明する。本実施形態に係る画像形成装置１における記録紙の搬送方法が、図１０に示すような記録紙端基準である場合、本実施形態に係るページ番号検知部１９１は、少なくとも図１０のＰで示す範囲をカバーするように、ＣＣＤやＣＭＯＳ等のイメージセンサが主走査方向に一次元的に配列されて構成されていれば、全サイズおいてページ番号印字領域をカバーすることが可能となる。尚、このとき、図１０に示すように、ＰとＨｍａｘは一致する。
【００５５】
図９及び図１０において説明したように、本実施形態に係るページ番号検知部１９１は、主走査方向における全範囲をカバーするようにＣＣＤやＣＭＯＳ等のイメージセンサが配列されて構成されていなくても、必要な範囲にのみイメージセンサが配列されて構成されることにより、装置本体の軽量化及び小型化を図ることができると共に、製造コストやランニングコストの削減を図ることが可能となる。
【００５６】
尚、図１１に示すように、画像データ上におけるページ番号印字領域が上記までの説明とは反対側に設定されている場合もあり得るが、そのまま印刷してしまうと、ページ番号検知部１９１が図９及び図１０において説明したような構成では、ページ番号を検知することができないことになってしまう。そこで、このような場合には、図１１に示すような画像データを印刷前に１８０°回転させてから印刷を行うようにすれば、図１２に示すように、ページ番号印字領域は上記までの説明と同様の位置になるため、ページ番号検知部１９１が図９及び図１０において説明したような構成であってもページ番号を検知することが可能となる。
【００５７】
このように構成された画像形成装置１において、本実施形態に係る要旨の一つは、中綴じ製本のための印刷を行う際に、記録面単位で、左計測距離と右計測距離との差が規定値を超えた場合に、印刷動作を一旦停止して、折り線から左ページ番号を印字するための位置（以下、「左印字位置」とする）までの距離（以下、「左印字距離」とする）と、折り線から右ページ番号を印字するための位置（以下、「右印字位置」とする）までの距離（以下、「右印字距離」とする）との差が上記規定値以下となるように、左印字位置及び右印字位置を修正することにある。従って、本実施形態に係る画像形成装置１によれば、中綴じ製本のための印刷を行う際に、各記録面における左右両ページでお互いにずれた位置にページ番号が印字されたまま印刷動作を実行することを防ぐことが可能となる。
【００５８】
そのため、本実施形態に係る画像形成装置１によれば、中綴じ製本のための印刷を行う際に、各記録面において、上記折り線に対して線対称となる位置に左右両ページのページ番号を印字することが可能となり、上記左右両ページに印字されるページ番号の位置を揃えることが可能となる。その結果、本実施形態に係る画像形成装置１によれば、中綴じ製本のための印刷品質を向上させることが可能となり、製本後の品質の向上を図ることが可能となる。
【００５９】
また、このように構成された画像形成装置１において、本実施形態に係る他の要旨の一つは、中綴じ製本のための印刷を行う際に、特定の記録面における左計測距離及び右計測距離と、他の記録面における左計測距離及び右計測距離との所定の差が規定値を超えた場合に、印刷動作を一旦停止して、上記特定の記録面における左計測距離及び右計測距離を基準にして、上記他の記録面における左印字位置及び右印字位置を修正することにある。従って、本実施形態に係る画像形成装置１によれば、中綴じ製本のための印刷を行う際に、記録面間でお互いにずれた位置にページ番号が印字されたまま印刷動作を実行することを防ぐことが可能となる。
【００６０】
そのため、本実施形態に係る画像形成装置１によれば、中綴じ製本のための印刷を行う際に、ページ番号の位置が全ページ間できれいに揃うようにしてページ番号を印字することが可能となる。その結果、本実施形態に係る画像形成装置によれば、中綴じ製本のための印刷品質を更に向上させることが可能となり、製本後の更なる品質の向上を図ることが可能となる。ここで、特定の記録面とは、左印字距離と右印字距離との差が上記規定値未満となるように左印字位置及び右印字位置が修正された記録面等、左計測距離と右計測距離との差が上記規定値未満の記録面のことである。本実施形態においては、特定の記録面は、最初にページ番号が印字された記録面のことを指すものとする。
【００６１】
尚、本実施形態に係る描画データは、上述したように、画像形成用データ及びページ番号データを含むが、画像形成用データとページ番号データとはお互いに独立したデータとして構成されていても良いし、ページ番号データが画像形成用データに含まれていて、その両者が区別されないように構成されていても良い。従って、後者の構成の場合、上記のようにページ番号の印字位置を修正すると、ページ番号データのみを画像形成用データから切り離して修正することができないので、その修正に伴って画像形成用データの印刷位置も移動することになるが、前者の構成の場合には、ページ番号データのみを画像形成用データから切り離して修正することができるので、画像形成用データがその修正に伴って移動することはない。また、前者の構成の場合、ページ番号データは、画像形成装置１で描画データに付加されるように構成されていても良い。
【００６２】
次に、本実施形態に係る画像形成装置１が、中綴じ製本を行うための印刷処理について、図１３〜図１５を参照して説明する。図１３〜図１５は、本実施形態に係る画像形成装置１が、中綴じ製本を行うための印刷処理を説明するためのフローチャートである。尚、以下の説明における、「表面」及び「裏面」とは、記録紙における両面の夫々の記録面を説明上、区別して表すものであるが、実際にはそのどちらが表面であっても裏面であっても良い。本実施形態においては、反転ユニット２１０において表裏が反転される前の記録紙において、画像形成装置１が設置されている側の面を裏面とし、その反対面を表面としている。そのため、本実施形態においては、表面から印刷処理が行われることになる。
【００６３】
図１３〜図１５に示すように、本実施形態に係る画像形成装置１が、中綴じ製本を行うための印刷処理を行うために、ｎ枚目の印刷処理を開始すると（Ｓ１３０１）、主制御部１０１は、ｎ枚目の表面に印刷を行うか否かを判定する（Ｓ１３０２）。主制御部１０１が、Ｓ１３０２の処理において、ｎ枚目の表面に印刷を行うと判定した場合には（Ｓ１３０２／ＹＥＳ）、画像形成装置１は、エンジン制御部１０２の制御に従ってプリントエンジン１６０においてｎ枚目の表面に印刷を行う（Ｓ１３０３）。
【００６４】
そして、ｎ枚目の表面に印刷が行われたら（Ｓ１３０３）、エンジン制御部１０２は、ｎ枚目の表面にページ番号を印字したか否かを判定する（Ｓ１３０４）。エンジン制御部１０２が、Ｓ１３０４の処理において、ｎ枚目の表面にページ番号を印字したと判定した場合には（Ｓ１３０４／ＹＥＳ）、画像形成装置１は、そのｎ枚目の記録紙をページ番号検知部１９１に相当する位置まで搬送し、ページ番号検知部１９１がｎ枚目の表面に印字されているページ番号を検知して主制御部１０１に検知信号を通知すると、主制御部１０１は、ｎ枚目の記録紙の表面において、記録紙長Ｃｎ（表）、左先端距離Ｄｎ（表）、左後端距離Ｅｎ（表）、右先端距離Ｆｎ（表）、右後端距離Ｇｎ（表）を計測する（Ｓ１３０５）。
【００６５】
主制御部１０１は、図７において説明したように、計測したＣｎ（表）、Ｄｎ（表）、Ｅｎ（表）、Ｆｎ（表）、Ｇｎ（表）に基づいて、左計測距離Ａｎ（表）をＡｎ（表）＝｛Ｃｎ（表）−Ｄｎ（表）−Ｅｎ（表）｝／２として算出し、右計測距離Ｂｎ（表）をＢｎ（表）＝｛Ｆｎ（表）＋Ｇｎ（表）−Ｃｎ（表）｝／２として算出する（Ｓ１３０６）。
【００６６】
そして、主制御部１０１は、算出した左計測距離Ａｎ（表）と右計測距離Ｂｎ（表）との差、即ち、｜Ａｎ（表）−Ｂｎ（表）｜が予め設定されている規定値未満であるか否か判定する（Ｓ１３０７）。このように、主制御部１０１が、｜Ａｎ（表）−Ｂｎ（表）｜が規定値未満であるか否かを判定することにより、ｎ枚目の表面において、左計測距離と右計測距離との差が規定値未満であることを担保することができ、中綴じ製本後のページ番号位置のズレを低減させることが可能となる。尚、Ｓ１３０７の処理における判定基準となる規定値については、求める品質に合わせて調整する等、状況に応じて任意に調整すれば良い。
【００６７】
主制御部１０１が、Ｓ１３０７の処理において、｜Ａｎ（表）−Ｂｎ（表）｜が規定値未満でないと判定した場合には（Ｓ１３０７／ＮＯ）、本実施形態に係る画像形成装置１は、※※※の処理に移行する。本実施形態に係る画像形成装置１が、※※※の処理に移行すると、図１５に示すように、画像形成装置１は、印刷処理の動作を停止する（Ｓ１５０１）。そして、画像形成装置１が印刷処理の動作を停止すると、主制御部１０１は、ページ番号の印字位置の修正量を算出し（Ｓ１５０２）、警告画面を表示させるための表示情報を生成して、操作表示制御部１０４を制御することによりディスプレイパネル１４０に上記警告画面を表示させる（Ｓ１５０３）。即ち、本実施形態においては、主制御部１０１が、警告画面表示制御部として機能する。尚、Ｓ１５０２の処理における修正量の算出方法については後述する。
【００６８】
ここで、Ｓ１５０３の処理において表示される警告画面について、図１６及び図１７を参照して説明する。図１６及び図１７は、本実施形態に係る画像形成装置１のディスプレイパネル１４０に表示される警告画面の表示例を示す図である。図１６及び図１７に示すように、本実施形態に係る画像形成装置１のディスプレイパネル１４０には、警告画面として、ページ番号が規定位置からずれている旨の表示が行われ、そのページ番号のズレ量（修正量）が表示されている。また、図１６に示すように、本実施形態に係る画像形成装置１がページ番号の印字位置を自動で修正する自動修正モードに設定されている場合には、自動でページ番号の印字位置の修正が行われる。また、図１７に示すように、本実施形態に係る画像形成装置１がページ番号の印字位置を手動で修正する手動修正モードに設定されている場合には、ユーザが手動で印字位置の修正量を入力することによりページ番号の印字位置の修正が行われる。
【００６９】
そして、本実施形態に係る画像形成装置１は、図１６及び図１７において説明したようにしてページ番号の印字位置を修正すると（Ｓ１５０４）、印刷中の記録紙を破棄して（Ｓ１５０５）、修正された印字位置においてＳ１３０２からの処理と同様の処理を行う。尚、ユーザが警告画面において画像形成装置１を操作することにより、印刷処理をキャンセルすることができるように構成されていても良い。このように、本実施形態に係る画像形成装置１は、｜Ａｎ（表）−Ｂｎ（表）｜が規定値未満でないと判定した場合には（Ｓ１３０７／ＮＯ）、一旦画像形成動作を停止して、その記録紙を破棄し、修正された印字位置に改めてページ番号を印字するので、中綴じ製本後のページ番号位置のズレを低減させることが可能となる。
【００７０】
一方、主制御部１０１は、Ｓ１３０７の処理において、｜Ａｎ（表）−Ｂｎ（表）｜が規定値未満であると判定した場合には（Ｓ１３０７／ＹＥＳ）、今回の記録紙は１枚目であるか否か、即ち、ｎ＝１であるか否かを判定する（Ｓ１３０８）。
【００７１】
主制御部１０１は、Ｓ１３０７の処理において、ｎ＝１ではないと判定した場合には（Ｓ１３０８／ＮＯ）、ｎ枚目の表面における左右の計測距離と特定の記録面における左右の計測距離との差が規定値未満であるか否かを判定する（Ｓ１３０９）。このように、主制御部１０１が、ｎ枚目の表面における左右の計測距離と特定の記録面における左右の計測距離との差が規定値未満であるか否かを判定することにより、ｎ枚目の表面における左右の計測距離と、特定の記録面における左右の計測距離との差が規定値未満であることを担保することができ、中綴じ製本後のページ番号位置のズレを低減させることが可能となる。
【００７２】
このＳ１３０９の処理における判定方法については後述する。尚、上述したように、本実施形態における特定の記録面とは、最初にページ番号を印字した記録面のことであるが、左計測距離と右計測距離との差が無い若しくは規定値未満の記録面であればどの記録面でも良い。また、Ｓ１３０９の処理における判定基準となる規定値については、求める品質に合わせて調整する等、状況に応じて任意に調整すれば良い。
【００７３】
主制御部１０１が、Ｓ１３０９の処理において、ｎ枚目の表面における左右の計測距離と特定の記録面における左右の計測距離との差が規定値未満でないと判定した場合には（Ｓ１３０９／ＮＯ）、本実施形態に係る画像形成装置１は、上述した※※※の処理に移行する。このように、本実施形態に係る画像形成装置１は、ｎ枚目の表面における左右の計測距離と特定の記録面における左右の計測距離との差が規定値未満でないと判定した場合には（Ｓ１３０９／ＮＯ）、一旦画像形成動作を停止して、その記録紙を破棄し、修正された印字位置に改めてページ番号を印字するので、中綴じ製本後のページ番号位置のズレを低減させることが可能となる。
【００７４】
また、主制御部１０１が、Ｓ１３０２の処理において、ｎ枚目の表面に印刷を行わないと判定した場合（Ｓ１３０２／ＮＯ）、エンジン制御部１０２が、Ｓ１３０４の処理において、ｎ枚目の表面にページ番号を印字しなかったと判定した場合には（Ｓ１３０４／ＮＯ）、主制御部１０１は、Ｓ１３０８の処理において、ｎ＝１であると判定した場合（Ｓ１３０８／ＹＥＳ）、主制御部１０１が、Ｓ１３０９の処理において、ｎ枚目の表面における左右の計測距離と特定の記録面における左右の計測距離との差が規定値未満であると判定した場合には（Ｓ１３０９／ＹＥＳ）には、本実施形態に係る画像形成措置１は、※※の処理に移行する。
【００７５】
本実施形態に係る画像形成装置１が、※※の処理に移行すると、図１４に示すように、主制御部１０１は、ｎ枚目の裏面に印刷を行うか否かを判定する（Ｓ１４０１）。主制御部１０１が、Ｓ１４０１の処理において、ｎ枚目の裏面に印刷を行わないと判定した場合には（Ｓ１４０１／ＮＯ）、画像形成装置１は、次ページの印刷処理を開始し（Ｓ１４１３）、Ｓ１３０２からの処理と同様の処理を行う。
【００７６】
一方、主制御部１０１が、Ｓ１４０１の処理において、ｎ枚目の裏面に印刷を行うと判定した場合には（Ｓ１４０１／ＹＥＳ）、画像形成装置１は、反転ユニット２１０においてｎ枚目の記録紙の表裏を反転させ（Ｓ１４０２）、エンジン制御部１０２の制御に従ってプリントエンジン１６０においてｎ枚目の裏面に印刷を行う（Ｓ１４０３）。
【００７７】
そして、ｎ枚目の裏面に印刷が行われたら（Ｓ１４０３）、エンジン制御部１０２は、ｎ枚目の裏面にページ番号を印字したか否かを判定する（Ｓ１４０４）。エンジン制御部１０２が、Ｓ１４０４の処理において、ｎ枚目の裏面にページ番号を印字しなかったと判定した場合には（Ｓ１４０４／ＮＯ）、画像形成装置１は、次ページの印刷処理を開始し（Ｓ１４１３）、Ｓ１３０２からの処理と同様の処理を行う。
【００７８】
一方、エンジン制御部１０２が、Ｓ１４０４の処理において、ｎ枚目の裏面にページ番号を印字したと判定した場合には（Ｓ１４０４／ＹＥＳ）、画像形成装置１は、そのｎ枚目の記録紙をページ番号検知部１９１に相当する位置まで搬送し、ページ番号検知部１９１がｎ枚目の裏面に印字されているページ番号を検知して主制御部１０１に検知信号を通知すると、主制御部１０１は、ｎ枚目の記録紙の裏面において、記録紙長Ｃｎ（裏）、左先端距離Ｄｎ（裏）、左後端距離Ｅｎ（裏）、右先端距離Ｆｎ（裏）、右後端距離Ｇｎ（裏）を計測する（Ｓ１４０５）。
【００７９】
主制御部１０１は、図７において説明したように、計測したＣｎ（裏）、Ｄｎ（裏）、Ｅｎ（裏）、Ｆｎ（裏）、Ｇｎ（裏）に基づいて、左計測距離Ａｎ（裏）をＡｎ（裏）＝｛Ｃｎ（裏）−Ｄｎ（裏）−Ｅｎ（裏）｝／２として算出し、右計測距離Ｂｎ（裏）をＢｎ（裏）＝｛Ｆｎ（裏）＋Ｇｎ（裏）−Ｃｎ（裏）｝／２として算出する（Ｓ１４０６）。
【００８０】
そして、主制御部１０１は、算出した左計測距離Ａｎ（裏）と右計測距離Ｂｎ（裏）との差、即ち、｜Ａｎ（裏）−Ｂｎ（裏）｜が予め設定されている規定値未満であるか否か判定する（Ｓ１４０７）。このように、主制御部１０１が、｜Ａｎ（裏）−Ｂｎ（裏）｜が規定値未満であるか否かを判定することにより、ｎ枚目の裏面において、左計測距離と右計測距離との差が規定値未満であることを担保することができ、中綴じ製本後のページ番号位置のズレを低減させることが可能となる。尚、Ｓ１４０７の処理における判定基準となる規定値については、求める品質に合わせて調整する等、状況に応じて任意に調整すれば良い。
【００８１】
主制御部１０１が、Ｓ１４０７の処理において、｜Ａｎ（裏）−Ｂｎ（裏）｜が規定値未満でないと判定した場合には（Ｓ１４０７／ＮＯ）、本実施形態に係る画像形成装置１は、上述した※※※の処理に移行する。このように、本実施形態に係る画像形成装置１は、｜Ａｎ（裏）−Ｂｎ（裏）｜が規定値未満でないと判定した場合には（Ｓ１４０７／ＮＯ）、一旦画像形成動作を停止して、その記録紙を破棄し、修正された印字位置に改めてページ番号を印字するので、中綴じ製本後のページ番号位置のズレを低減させることが可能となる。
【００８２】
一方、主制御部１０１は、Ｓ１４０７の処理において、｜Ａｎ（裏）−Ｂｎ（裏）｜が規定値未満であると判定した場合には（Ｓ１４０７／ＹＥＳ）、今回の記録紙は１枚目であるか否か、即ち、ｎ＝１であるか否かを判定する（Ｓ１４０８）。
【００８３】
主制御部１０１は、Ｓ１４０８の処理において、ｎ＝１ではないと判定した場合には（Ｓ１４０８／ＮＯ）、ｎ枚目の裏面における左右の計測距離と特定の記録面における左右の計測距離との差が規定値未満であるか否かを判定する（Ｓ１４０９）。このように、主制御部１０１が、ｎ枚目の裏面における左右の計測距離と特定の記録面における左右の計測距離との差が規定値未満であるか否かを判定することにより、ｎ枚目の裏面における左右の計測距離と、特定の記録面における左右の計測距離との差が規定値未満であることを担保することができ、中綴じ製本後のページ番号位置のズレを低減させることが可能となる。
【００８４】
このＳ１４０９の処理における判定方法については後述する。尚、上述したように、本実施形態における特定の記録面とは、最初にページ番号を印字した記録面のことであるが、左計測距離と右計測距離との差が無い若しくは規定値未満の記録面であればどの記録面でも良い。また、Ｓ１４０９の処理における判定基準となる規定値については、求める品質に合わせて調整する等、状況に応じて任意に調整すれば良い。
【００８５】
主制御部１０１が、Ｓ１４０９の処理において、ｎ枚目の裏面における左右の計測距離と特定の記録面における左右の計測距離との差が規定値未満でないと判定した場合には（Ｓ１４０９／ＮＯ）、本実施形態に係る画像形成装置１は、上述した※※※の処理に移行する。このように、本実施形態に係る画像形成装置１は、ｎ枚目の裏面における左右の計測距離と特定の記録面における左右の計測距離との差が規定値未満でないと判定した場合には（Ｓ１４０９／ＮＯ）、一旦画像形成動作を停止して、その記録紙を破棄し、修正された印字位置に改めてページ番号を印字するので、中綴じ製本後のページ番号位置のズレを低減させることが可能となる。
【００８６】
一方、主制御部１０１が、Ｓ１４０９の処理において、ｎ枚目の裏面における左右の計測距離と特定の記録面における左右の計測距離との差が規定値未満であると判定した場合には（Ｓ１４０９／ＹＥＳ）、全ページの印刷処理が終了したか否かを判定する（Ｓ１４１０）。
【００８７】
主制御部１０１が、Ｓ１４１０の処理において、全ページの印刷処理が終了したと判定した場合には（Ｓ１４１０／ＹＥＳ）、本実施形態に係る画像形成装置１は、中綴じ製本を行うための印刷処理を終了する。一方、主制御部１０１が、Ｓ１４１０の処理において、全ページの印刷処理が終了していないと判定した場合には（Ｓ１４１０／ＮＯ）、画像形成装置１は、次ページの印刷処理を開始し（Ｓ１４１３）、Ｓ１３０２からの処理と同様の処理を行う。
【００８８】
また、主制御部１０１が、Ｓ１４０８の処理において、ｎ＝１であると判定した場合には（Ｓ１４０８／ＹＥＳ）、エンジン制御部１０２は、ｎ＝１枚目の表面にページ番号を印字したか否かを判定する（Ｓ１４１１）。エンジン制御部１０２が、ｎ＝１枚目の表面にページ番号を印字しなかったと判定した場合には（Ｓ１４１１／ＮＯ）、本実施形態に係る画像形成装置１は、Ｓ１４１０からの処理と同様の処理を行う。
【００８９】
一方、エンジン制御部１０２が、ｎ＝１枚目の表面にページ番号を印字したと判定した場合には（Ｓ１４１１／ＹＥＳ）、主制御部１０１は、その裏面における左右の計測距離とその表面における左右の計測距離との差が規定値未満であるか否かを判定する（Ｓ１４１２）。このように、主制御部１０１が、ｎ＝１枚目の裏面における左右の計測距離とその表面における左右の計測距離との差が規定値未満であるか否かを判定することにより、ｎ＝１枚目の裏面における左右の計測距離と、その表面における左右の計測距離との差が規定値未満であることを担保することができ、中綴じ製本後のページ番号位置のズレを低減させることが可能となる。
【００９０】
このＳ１４１２の処理における判定方法については後述する。尚、Ｓ１４１１の処理における判定基準となる規定値については、求める品質に合わせて調整する等、状況に応じて任意に調整すれば良い。
【００９１】
主制御部１０１が、ｎ＝１枚目の裏面における左右の計測距離と特定の記録面における左右の計測距離との差が規定値未満であると判定した場合には（Ｓ１４１２／ＹＥＳ）、本実施形態に係る画像形成装置１は、Ｓ１４１０からの処理と同様の処理を行う。一方、主制御部１０１が、ｎ＝１枚目の裏面における左右の計測距離と特定の記録面における左右の計測距離との差が規定値未満でないと判定した場合には（Ｓ１４１２／ＮＯ）、本実施形態に係る画像形成装置１は、上述した※※※の処理に移行する。このように、本実施形態に係る画像形成装置１は、ｎ＝１枚目の裏面における左右の計測距離と特定の記録面における左右の計測距離との差が規定値未満でないと判定した場合には（Ｓ１４１２／ＮＯ）、一旦画像形成動作を停止して、その記録紙を破棄し、修正された印字位置に改めてページ番号を印字するので、中綴じ製本後のページ番号位置のズレを低減させることが可能となる。
【００９２】
次に、図１３において説明したＳ１３０９の処理における判定方法、図１４において説明したＳ１４０９の処理における判定方法、図１４において説明したＳ１４１２の処理における判定方法について説明する。まず一つ目の方法として、特定の記録面における左右の計測距離の平均距離と、ｎ枚目における左右の計測距離の平均距離との差が規定値未満であるか否かを判定する方法である。即ち、特定の記録面における左右の計測距離の平均距離をＭ、ｎ枚目の表面における左右の計測距離の平均距離をＭｎとした場合の｜Ｍｎ−Ｍ｜が、規定値未満であるか否かを判定する方法である。即ち、このとき、｜Ｍｎ−Ｍ｜が、所定の差として用いられる。
【００９３】
そして、もう一つの方法として、特定の記録面における左右の計測距離Ａ及びＢと、ｎ枚目における左右の計測距離Ａｎ及びＢｎとの各組み合わせにおける差が全て規定値未満であるか否かを判定する方法である。即ち、｜Ａｎ−Ａ｜、｜Ｂｎ−Ａ｜、｜Ａｎ−Ｂ｜、｜Ｂｎ−Ｂ｜の全てが規定位置未満であるか否かを判定する方法である。従って、上記４組のうちいずれか１組でも規定値以上である場合には、各処理において、ｎ枚目における左右の計測距離と特定の記録面における左右の計測距離との差が規定値未満でないと判定することになる（Ｓ１３０９／ＮＯ、Ｓ１４０９／ＮＯ、Ｓ１４１２／ＮＯ）。即ち、このとき、｜Ａｎ−Ａ｜、｜Ｂｎ−Ａ｜、｜Ａｎ−Ｂ｜、｜Ｂｎ−Ｂ｜が、所定の差として用いられる。
【００９４】
尚、上記の方法の他、ｎ枚目の表面にも裏面にもページ番号が印字されている場合には、ｎ枚目の表面における左右の計測距離Ａｎ（表）及びＢｎ（表）と、ｎ枚目の表面における左右の計測距離Ａｎ（裏）及びＢｎ（裏）との各組み合わせにおける差が全て規定値未満であるか否かを判定するようにしても良い。即ち、｜Ａｎ（表）−Ａｎ（裏）｜、｜Ａｎ（裏）−Ｂｎ（表）｜、｜Ａｎ（表）−Ｂｎ（裏）｜、｜Ｂｎ（表）−Ｂｎ（裏）｜の全てが規定値未満であるか否かを判定するようにしても良い。即ち、このとき、｜Ａｎ（表）−Ａｎ（裏）｜、｜Ａｎ（裏）−Ｂｎ（表）｜、｜Ａｎ（表）−Ｂｎ（裏）｜、｜Ｂｎ（表）−Ｂｎ（裏）｜が、所定の差として用いられる。
【００９５】
また、ｎ枚目の表面にも裏面にもページ番号が印字されている場合には、｜Ａｎ（表）−Ａｎ−１（裏）｜、｜Ａｎ（裏）−Ｂｎ−１（表）｜、｜Ａｎ（表）−Ｂｎ−１（裏）｜、｜Ｂｎ（表）−Ｂｎ−１（裏）｜の全てが規定値未満であるか否かを判定するようにしても良い。即ち、このとき、｜Ａｎ（表）−Ａｎ−１（裏）｜、｜Ａｎ（裏）−Ｂｎ−１（表）｜、｜Ａｎ（表）−Ｂｎ−１（裏）｜、｜Ｂｎ（表）−Ｂｎ−１（裏）｜が、所定の差として用いられる。さらに、他には、｜Ｍｎ−１−Ａｎ｜、｜Ｍｎ−１−Ｂｎ｜の全てが規定値未満であるか否かを判定するようにしても良い。即ち、このとき、｜Ｍｎ−１−Ａｎ｜、｜Ｍｎ−１−Ｂｎ｜が、所定の差として用いられる。このように、特定の記録面をどの記録面にするかによって、所定の差を状況に応じて定義することが可能となり、多様な判定方法が可能となる。
【００９６】
次に、図１５において説明したＳ１５０２の処理における修正量の算出方法について、図１８を参照して説明する。図１８は、本実施形態に係る画像形成装置１が、ページ番号の印字位置の修正量を算出する際の処理を説明するためのフローチャートである。図１８に示すように、ページ番号の印字位置の修正量を算出する際にはまず、主制御部１０１は、修正量を算出する対象としている記録紙が１枚目であるか否かを判定する（Ｓ１８０１）。
【００９７】
主制御部１０１は、Ｓ１８０１の処理において、修正量を算出する対象としている記録紙が１枚目でないと判定すると（Ｓ１８０１／ＮＯ）、ｎ枚目におけるページ番号の印字位置の修正量を、左印字位置については、最初にページ番号が印字された記録面における左計測距離及び右計測距離の平均距離と、修正量を算出する対象としている記録面における左計測距離との差として算出し、右印字位置については、最初にページ番号が印字された記録面における左計測距離及び右計測距離の平均距離と、修正量を算出する対象としている記録面における右計測距離との差として算出する（Ｓ１８０２）。即ち、主制御部１０１は、最初にページ番号が印字された記録面における左計測距離及び右計測距離の平均距離をＭ１とすると、ｎ枚目におけるページ番号の印字位置の修正量を、左印字位置については、Ｍ１−Ａｎとして算出し、右印字位置については、Ｍ１−Ｂｎとして算出する。尚、この他に、左印字位置については、Ｍｎ−１−Ａｎとして算出し、右印字位置については、Ｍｎ−１−Ｂｎとして算出しても良い。このように、特定の記録面をどの記録面にするかによって多様な算出方法が可能となる。
【００９８】
一方、主制御部１０１が、Ｓ１８０１の処理において、修正量を算出する対象としている記録紙が１枚目であると判定すると（Ｓ１８０１／ＹＥＳ）、エンジン制御部１０２は、その反対面（表面）にページ番号を印字したか否かを判定する（Ｓ１８０３）。エンジン制御部１０２が、Ｓ１８０３の処理において、反対面（表面）にページ番号を印字したと判定した場合には（Ｓ１８０３／ＹＥＳ）、主制御部１０１は、１枚目の裏面におけるページ番号の印字位置の修正量を、左印字位置については、１枚目の表面における左計測距離及び右計測距離の平均距離と、その裏面における左計測距離との差として算出し、右印字位置については、表面の左計測距離及び右計測距離の平均距離と、その裏面における右計測距離との差として算出する（Ｓ１８０４）。即ち、主制御部１０１は、１枚目の表面における左計測距離及び右計測距離の平均距離をＭ１（表）とすると、１枚目の裏面におけるページ番号の印字位置の修正量を、左印字位置については、Ｍ１（表）−Ａ１（裏）として算出し、右印字位置については、Ｍ１（表）−Ｂ１（裏）として算出する。
【００９９】
エンジン制御部１０２が、Ｓ１８０３の処理において、反対面（表面）にページ番号を印字しなかったと判定した場合には（Ｓ１８０３／ＮＯ）、主制御部１０１は、左印字位置か右印字位置のどちらを修正するか予め設定されているか否かを判定する（Ｓ１８０５）。主制御部１０１はＳ１８０５の処理において、左印字位置か右印字位置のどちらを修正するか予め設定されていないと判定した場合には（Ｓ１８０５／ＮＯ）、ページ番号の印字位置の修正量を、左印字位置については、修正量を算出する対象としている記録面における左計測距離及び右計測距離の平均距離と、その面における左計測距離との差として算出し、右印字位置については、表修正量を算出する対象としている記録面における左計測距離及び右計測距離の平均距離と、その面における右計測距離との差として算出する（Ｓ１８０６）。即ち、主制御部１０１は、修正量を算出する対象としている記録面における左計測距離及び右計測距離の平均距離をＭ１とすると、ページ番号の印字位置の修正量を、左印字位置については、Ｍ１−Ａ１として算出し、右印字位置については、Ｍ１−Ｂ１として算出する。
【０１００】
一方、主制御部１０１は、Ｓ１８０５の処理において、左印字位置か右印字位置のどちらを修正するか予め設定されていると判定した場合には（Ｓ１８０５／ＹＥＳ）、どちらの印字位置が修正するべき印字位置として設定されているかを判定する。（Ｓ１８０７）。主制御部１０１は、Ｓ１８０７の処理において、左印字位置を修正するべき印字位置として設定されていると判定すると（Ｓ１８０７／左）、左印字位置の修正量を、右計測距離と左計測距離との差、即ち、Ｂ１−Ａ１として算出する（Ｓ１８０８）。一方、主制御部１０１は、Ｓ１８０７の処理において、左印字位置を修正するべき印字位置として設定されていると判定すると（Ｓ１８０７／右）、左印字位置の修正量を、左計測距離と右計測距離との差、即ち、Ａ１−Ｂ１として算出する（Ｓ１８０９）。
【０１０１】
尚、図１８において説明した方法の他、予め基準値Ｓを設定しておき、ｎ枚目のページ番号の印字位置の修正量を、左印字位置については、Ｓ−Ａｎとして算出し、右印字位置については、Ｓ−Ｂｎとして算出するようにしても良い。即ち、本実施形態においては、基準値Ｓが基準距離として用いられる。但し、このような方法を採用する場合には、Ｓ１３０７における処理を、｜Ｓ−Ａｎ（表）｜及び｜Ｓ−Ｂｎ（表）｜のいずれかが規定値未満であるか否かを判定する処理に置換し、Ｓ１４０７における処理を、｜Ｓ−Ａｎ（裏）｜及び｜Ｓ−Ｂｎ（裏）｜のいずれかが規定値未満であるか否かを判定する処理に置換することを条件とする。
【０１０２】
以上、説明したように、本実施形態に係る画像形成装置１においては、中綴じ製本のための印刷を行う際に、記録面単位で、左計測距離と右計測距離との差が規定値を超えた場合に、印刷動作を一旦停止して、その記録紙を破棄し、左印字距離と右印字距離との差が上記規定値以下となるように、左印字位置及び右印字位置を修正することにある。従って、本実施形態に係る画像形成装置１によれば、中綴じ製本のための印刷を行う際に、各記録面における左右両ページでお互いにずれた位置にページ番号が印字されたまま印刷動作を実行することを防ぐことが可能となる。
【０１０３】
そのため、本実施形態に係る画像形成装置１によれば、中綴じ製本のための印刷を行う際に、各記録面において、上記折り線に対して線対称となる位置に左右両ページのページ番号を印字することが可能となり、上記左右両ページに印字されるページ番号の位置を揃えることが可能となる。その結果、本実施形態に係る画像形成装置１によれば、中綴じ製本のための印刷品質を向上させることが可能となり、製本後の品質の向上を図ることが可能となる。
【０１０４】
また、本実施形態に係る画像形成装置１においては、中綴じ製本のための印刷を行う際に、特定の記録面における左計測距離及び右計測距離と、他の記録面における左計測距離及び右計測距離との所定の差が規定値を超えた場合に、印刷動作を一旦停止して、その記録紙を破棄し、上記特定の記録面における左計測距離及び右計測距離を基準にして、上記他の記録面における左印字位置及び右印字位置を修正することにある。従って、本実施形態に係る画像形成装置１によれば、中綴じ製本のための印刷を行う際に、記録面間でお互いにずれた位置にページ番号が印字されたまま印刷動作を実行することを防ぐことが可能となる。
【０１０５】
そのため、本実施形態に係る画像形成装置１によれば、中綴じ製本のための印刷を行う際に、ページ番号の位置が全ページ間できれいに揃うようにしてページ番号を印字することが可能となる。その結果、本実施形態に係る画像形成装置によれば、中綴じ製本のための印刷品質を更に向上させることが可能となり、製本後の更なる品質の向上を図ることが可能となる。
【符号の説明】
【０１０６】
１  画像形成装置
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  画像処理部
１０４  操作表示制御部
１０５  入出力制御部
１１０  ＡＤＦ
１２０  スキャナユニット
１３０  排紙トレイ
１４０  ディスプレイパネル
１５０  給紙テーブル
１６０  プリントエンジン
１７０  排紙トレイ
１８０  ネットワークＩ／Ｆ
１９０  製本ユニット
１９１  ページ番号検知部
１９２  製本エンジン
１９３  排紙トレイ
２１０  反転ユニット
１９４  検知部誘導ローラ対
１９５  反転ユニット誘導ローラ対
【先行技術文献】
【特許文献】
【０１０７】
【特許文献１】特開２００２−２３２６７７号公報
【図１】
2014053866.tif 000003
【図２】
2014053866.tif 000004
【図３】
2014053866.tif 000005
【図４】
2014053866.tif 000006
【図５】
2014053866.tif 000007
【図６】
2014053866.tif 000008
【図７】
2014053866.tif 000009
【図９】
2014053866.tif 000010
【図１０】
2014053866.tif 000011
【図１１】
2014053866.tif 000012
【図１２】
2014053866.tif 000013
【図１３】
2014053866.tif 000014
【図１４】
2014053866.tif 000015
【図１５】
2014053866.tif 000016
【図１６】
2014053866.tif 000017
【図１７】
2014053866.tif 000018
【図１８】
2014053866.tif 000019
【図８】
2014053866.tif 000020